(57)【要約】      （修正有）【課題】洗浄部を脱水槽に組み合わせることで、同時に洗浄と脱水をおこなえるモップ構造を提供する。【解決手段】モップ本体１０と、回転孔１１０を有する回転盤１１と、前記回転孔１１０に貫通設置され、且つ前記モップ本体１０及び前記回転盤１１と連結する連結部材１２とを備えてモップを構成する。前記回転盤１１が前記回転孔１１０の両端に対して、それぞれ前記回転盤１１に対し折曲する延伸部１３を有する。【選択図】図１Ａ
0003182555.tif 000002
【実用新案登録請求の範囲】
【請求項１】
モップ本体１０と、
回転孔１１０を有する回転盤１１と、
前記回転孔１１０に貫通設置され、且つ前記モップ本体１０及び前記回転盤１１と連結する連結部材１２と、を備えたモップ構造であって、
前記回転盤１１が前記回転孔１１０の両端に対して、それぞれ前記回転盤１１に対し折曲する延伸部１３を有することを特徴とするモップ構造。
【請求項２】
前記各延伸部１３が更に少なくとも一の第一連結部１３０を有し、前記回転盤１１が更に少なくとも一の第二連結部１１１を有し、前記第一連結部１３０と前記第二連結部１１１が対応して設置され、前記第一連結部１３０と前記第二連結部１１１により前記各延伸部１３と前記回転盤１１とを連結することを特徴とする請求項１に記載のモップ構造。
【請求項３】
前記回転盤１１の前記第二連結部１１１の近隣にさらに少なくとも一の位置決め弾片１１３を有することを特徴とする請求項２記載のモップ構造。
【請求項４】
更に一対の延長部１３３がそれぞれ前記延伸部１３と連結することを特徴とする請求項１記載のモップ構造。
【請求項５】
前記各延伸部１３が第三連結部１３４を有し、前記各延長部１３３が更に第四連結部１３３０を有し、前記各第三連結部１３４と前記各第四連結部１３３０とが対応して設置され、前記各第三連結部１３４と前記各第四連結部１３３０により前記各延伸部１３がそれぞれ前記各延長部１３３と連結することを特徴とする請求項４記載のモップ構造。
【請求項６】
更に前記回転盤１１、前記各延伸部１３及び前記各延長部１３３の底部に洗浄部材１４を設置したことを特徴とする請求項４記載のモップ構造。
【請求項７】
前記洗浄部材１４が第一結合部１４０を有し、且つ前記各延伸部１３が第二結合部１３２を有し、前記第一結合部１４０と前記第二結合部１３２が互いに結合することを特徴とする請求項５記載のモップ構造。
【請求項８】
前記洗浄部材１４が第一結合部１４０を備え、且つ前記各延長部１３３が第三結合部１３３１を備え、前記第一結合部１４０と前記第三結合部１３３１が互いに結合していることを特徴とする請求項５記載のモップ構造。
【請求項９】
モップ本体１０と、
回転孔１１０を有する回転盤１１と、
前記回転孔１１０に貫通設置され、前記モップ本体１０及び前記回転盤１１とを連結する連結部材１２と、を備えたモップ構造であって、
前記回転盤１１が更に洗浄台座１１２を備え、前記洗浄台座１１２が結合盤１１２０及び前記結合盤１１２０の両端から延伸した、前記結合盤１１２０に対して折曲している延伸部１３を含む、ことを特徴とするモップ構造。
【請求項１０】
前記各延伸部１３が更に少なくとも一の第一連結部１３０を有し、前記結合盤１１２０が更に少なくとも一の第二連結部１１１を有し、前記第一連結部１３０と前記第二連結部１１１とが対応して設置され、枢軸１３１により前記各延伸部１３を前記回転盤１１に枢着させたことを特徴とする、請求項９記載のモップ構造。
【請求項１１】
前記回転盤１１の底部の前記第二連結部１１１の近隣に、更に少なくとも一の位置決め弾片１１３を備えたことを特徴とする請求項１０記載のモップ構造。
【請求項１２】
さらに、一対の延長部１１３がそれぞれ前記延伸部１３と連結したことを特徴とする請求項９に記載のモップ構造。
【請求項１３】
前記各延伸部１３が第三連結部１３４を有し、前記各延長部１３３が更に第四連結部１３３０を有し、前記各第三連結部１３４が前記第四連結部１３３０に対応して設置され、前記各第三連結部１３４と前記各第四連結部１３３０により前記各延伸部がそれぞれ前記各延長部１３３と連結することを特徴とする、請求項１２記載のモップ構造。
【請求項１４】
さらに洗浄部材１４を前記結合盤１１２０、前記各延伸部１３及び前記各延長部１３３の底部に備えたことを特徴とする請求項１２記載のモップ構造。
【請求項１５】
前記洗浄部材１４が第一結合部１４０を有し、且つ前記各延伸部１３が第二結合部１３２を有し、前記第一結合部１４０と第二結合部１３２が互いに結合したことを特徴とする請求項１４記載のモップ構造。
【請求項１６】
前記洗浄部材が第一結合部１４０を有し、且つ前記延長部１３３が第三結合部１３３１を有し、前記第一結合部１４０と前記第三結合部１３３１とが互いに結合したことを特徴とする請求項１４記載のモップ構造。
【考案の詳細な説明】
【技術分野】
【０００１】
本考案は家庭における洗浄または清掃用具に関し、特に床、カーペット、家具、壁及び壁被覆物の清掃用具に関する。
【背景技術】
【０００２】
現在知られているフラット状モップ構造は、洗浄部をモップの平板上に粘着若しくは挟持固定させる方法で、洗浄部により洗浄したい床を擦拭して、床上のよごれを洗浄部上に付着させることで、床掃除の効果を達成する。
現在市場で販売されている商品は、通常のフラット構造のモップ洗浄部は大きい床洗浄面積を有しているが、洗浄部については、やはりドライ式若しくは静電式モップ洗浄部構造となっており、資源の浪費や環境保護の面で負担となっている。また、頑固な汚れには、ウエットな洗浄部で擦拭しなければ徹底した洗浄効果は達成できず、現段階でのフラット式モップ構造では、脱水による水切りが達成できないので、人が手で絞って乾いた状態にする必要があり、大変不便である。且つ、公共の場所ではこのような動作はあまり見栄えがよく無い。
更に、背景技術であるＴＷ  Ｍ３５７９５１で述べられているフラット式泡棉モップは、その部材として底板、モップ本体、外竿体、中竿体、内竿、主軸、主軸ヘッド、第一連結部、第二連結部及び第三連結部を備え、固定栓、複数の接続部材、複数の枢軸、及び弾性部材により前記それぞれの部材を互いに連動させてモップの水切り動作を行なうことで、モップ洗浄部の脱水水切りの問題を解決しているが、然し、必要な組立て部材が多く、複雑で多くの連結部を互いに連動させる必要があり、材料コスト及び加工費が相当高く、且つ加工組立て時のプログラムが煩雑で、経済効果に見合わないという問題があった。
上記の問題に鑑みて、従来のフラット式モップ構造にある欠点に対して研究改良を重ね、いかに使用者がより便利に使用でき、且つ製造コストを最小限にまで下げることができるかが関連業界が努力するべき研究開発の目標となっている。
【考案の概要】
【考案が解決しようとする課題】
【０００３】
上記の欠点を克服するために、本考案は、モップ本体と、回転盤及び連結部材とを備えたモップ構造を提供する。回転盤は回転孔を有し、連結部材が回転孔を貫通して、且つモップ本体および回転盤とを連結する。
回転盤は回転孔の両端に対応して延伸部を有し、各延伸部は回転盤に対して折曲する。これによって、延伸部が後方に折曲し更に脱水の動作を行なうことでモップの脱水効果が得られ、従来の平板モップが同時に洗浄と脱水を行なうことができないという課題を解決する。
【０００４】
上記のモップ構造は、各延伸部がさらに少なくとも一の第一連結部を有し、前記回転盤が更に少なくとも一の第二連結部を有し、前記第一連結部と第二連結部を対応して設置して第一連結部と第二連結部により各延伸部と回転盤を連結する。
【０００５】
前記モップ構造は、回転盤の第二連結部に近隣する場所に少なくとも一の位置決め弾片をさらに設置している。
【０００６】
前記モップ構造は、一対の延長部を更に有し、それぞれ延伸部と連結している。
【０００７】
前記モップ構造は、各延伸部が第三連結部を有し、各延長部がさらに第四連結部を備え、前記各第三連結部と各第四連結部が対応して設置されて、各第三連結部と各第四連結部により各延伸部をそれぞれ延長部と連結させる。
【０００８】
前記モップ構造は、更に洗浄部材を回転盤、各延伸部及び各延長部の底部に設置している。
【０００９】
前記モップ構造は、洗浄部材が第一結合部を有し、且つ各延伸部が第二結合部を有して、第一結合部と第二結合部が互いに結合する。
【００１０】
前記モップ構造は、洗浄部材が第一結合部を有し、且つ各延長部が第三結合部を有して、第一結合部と第三結合部が互いに結合する。
【００１１】
従って、本考案の主な目的は、回転盤の回転孔に対応する両端にそれぞれ延伸部を有し、各延伸部が回転盤に対して折曲するモップ構造を提供する。折曲した延伸部は更に脱水槽と連結して、洗浄及び脱水を達成し、人が手で絞るよりも更に便利で見た目もよい。且つ洗浄部が洗浄及び脱水し易いので、市場の使い捨てモップシート若しくは使い捨て静電シートに比べてより資源を節約でき、環境保護上の負担にもならない。
【００１２】
本考案の別の目的は、モップ構造であって、構造の洗浄部を脱水槽に組合わせて脱水動作ができるので、構造が簡単で且つ部材も単純であるから、材料コスト及び加工費用を節約でき、生産製造にも便利である。
【００１３】
また、本考案は、モップ本体と、回転盤及び連結部材とを備えたモップ構造を提供する。回転盤は回転孔を有し、連結部材が回転孔を貫通して、且つモップ本体および回転盤とを連結する。回転盤は更に洗浄台座を組み込んでおり、洗浄台座は、結合盤及び結合盤の両端から延伸する延伸部を備え、延伸部は結合盤に対して折曲している。
これによって、洗浄部は結合盤と着脱自在になり、洗浄用途の広範性をより増加し、且つ延伸部が折曲することでさらに脱水動作を行ないやすくなり、モップの脱水効果が得られ、従来のフラットモップでは同時に洗浄と脱水を行なうことができないという課題を解決する。
【課題を解決するための手段】
【００１４】
前記モップ構造は、各延伸部が更に少なくとも一の連結部を有し、結合盤は更に少なくとも一の第二連結部を有し、前記第一連結部と第二連結部が対応して設置され、枢軸によって各延伸部を回転盤に枢設する。
【００１５】
前記モップ構造は、回転盤の底部の第二連結部に近隣する場所に、更に少なくとも一の位置決め弾片を設置している。
【００１６】
前記モップ構造は、更に一対の延長部を備えそれぞれ前記延伸部と連結する。
【００１７】
前記モップ構造は、各延伸部が第三連結部を有し、各延長部がさらに第四連結部を有し、前記各第三連結部と各第四連結部を対応して設置して、各第三連結部と各第四連結部により各延伸部をそれぞれ各延長部と連結する。
【００１８】
前記モップ構造は、さらに洗浄部材を結合盤、各延伸部及び各延長部の底部に設置している。
【００１９】
前記モップ構造は、洗浄部材が第一結合部を有し、且つ各延伸部が第二結合部を有し、第一結合部と第二結合部が互いに結合する。
【００２０】
前記モップ構造は、洗浄部材が第一結合部を有し、且つ各延長部が第三結合部を有し、第一結合部と第三結合部が互いに結合する。
【００２１】
従って、本考案の主な目的は、モップ構造であって、回転盤の回転孔に対応する両端にそれぞれ延伸部を有し、各延伸部が回転盤に対して折曲しているモップ構造を提供する。
【００２２】
折曲した延伸部は、さらに脱水槽と連結して、洗浄及び脱水の目的を達成し、人が手で絞るよりも更に便利で見た目もよい。且つ洗浄部は洗いやすく、脱水し易いので、市場の使い捨て擦拭シート若しくは使い捨て静電シートよりも更に資源の節約になり、環境保護上の負担にならない。
【００２３】
本考案の別の目的は、モップ構造であって、構造の洗浄部を脱水槽に組み合わせて脱水動作を行なうので、構造が簡単で且つ部材も単純であり、材料コストや加工費用を節約して製造生産しやすい。
【考案の効果】
【００２４】
以下図に示された実施形態を参照して、本考案の目的の達成に使われる技術手段と構造の特徴を詳細に説明する。
【図面の簡単な説明】
【００２５】
【図１Ａ】本考案の第一実施例における正視分解図である。
【図１Ｂ】本考案の第一実施例における上視分解図である。
【図１Ｃ】本考案の第一実施例における別の上視分解図である。
【図２Ａ】本考案の第二実施例における正視分解図である。
【図２Ｂ】本考案の第二実施例における斜視（立体）分解図である。
【図２Ｃ】本考案の第二実施例における延伸部が折曲した略図。
【図２Ｄ】本考案の第二実施例における別の延伸部が折曲した略図。
【図２Ｅ】本考案の第二実施例における別の正視分解図。
【図３】本考案のモップ本体ロック構造の立体図。
【図４】本考案の清掃用具セット分解図。
【図５】本考案のモップの上視立体図。
【図６】本考案のモップ本体分解図。
【図７】本考案のクラッチ裝置立体分解図。
【図８】本考案の脱水槽立体図。
【図９】本考案のモップ脱水の略図。
【図１０】本考案の別のモップ脱水の略図。
【図１１】本考案のべダル式脱水かご立体図。
【考案を実施するための形態】
【００２６】
本考案が開示する清掃構造において、本考案が利用した回転脱水の原理は、この分野における通常の知識を有する者であれば理解できるものなので、以下の説明ではその描写を割愛する。同時に、以下文中で対照している図は、本考案の特徴の意義を表すためのもので、実際の情況に応じた完全な製図ではないことを先に述べておく。
【００２７】
先ず、図１Ａを見ると、本実用新案による第一実施例のモップ構造である。本実施例は、主にモップ本体１０と、回転盤１１及び連結部材１２とを備える。
モップ本体１０は使用者が手で握持して清掃動作を行なうものであり、回転盤１１には回転孔１１０を有し、且つ回転孔１１０には連結部材を貫通させる。連結部材１２はモップ本体１０と回転盤１１に連結する作用がある。回転盤１１の回転孔１１０に対応する両端にそれぞれ延伸部１３が設けられ、各延伸部１３は回転盤１１に対して鉛直下向き又は上向きに折曲し、且つ延伸部１３はさらに少なくとも一の第一連結部１３０を有し、回転盤１１は更に少なくとも一の第二連結部１１１（図１Ｂを参照）を有し、延伸部１３上の第一連結部１３０と回転盤１１の第二連結部１１１が対応して設置され、第一連結部１３０と第二連結部１１１が枢軸１３１により各延伸部１３を回転盤１１に枢設する。
また第二連結部１１１に近隣する場所に更に位置決め弾片１１３を設置しており、位置決め弾片１１３の数は単数又は複数でもよく、その目的は各延伸部１３が回転盤１１に対して鉛直下向き、上向き又は水平方向に折曲する際に適時垂直又は水平状態に位置決めさせて、使用者の操作がより便利になるようにするものである。図１Ａ及び図１Ｃに示すように、各延伸部１３上に延長部１３３を連結してもよく、各延伸部１３は第三連結部１３４を有し、各延長部１３３はさらに第四連結部１３３０を有し、各第三連結部１３４と各第四連結部１３３０を対応して設置させ、各第三連結部１３４と各第四連結部１３３０により各延長部１３がそれぞれ各延長部１３３と連結する。
本実施例は、更に洗浄部材１４を備え、前記洗浄部材１４は回転盤１１の底部、各延伸部１３の底部及び各延長部１３３の底部に設置され、洗浄部材１４は第一結合部１４０を有し、各延伸部１３は第二結合部１３２を有し、各延長部１３３は第三結合部１３３１を有し、第一結合部１４０と第二結合部１３２及び第三結合部１３３１が互いに結合することで、洗浄部材１４と延伸部１３及び延長部１３３との組立てが完了する。このうち、第一結合部１４０、第二結合部１３２及び第三結合部１３３１は結合ボタン、結合孔などの設計でもよく、若しくはマジックテープ（登録商標）などの粘着方法で第一結合部１４０と第二結合部１３２及び第三結合部１３３１とを互いに結合してもよいが、本考案においては限定されない。
更に、洗浄部材１４は弾性伸縮テープから延伸する構造でもよく、洗浄部材１４が延伸部１３及び延長部１３３と結合した後、さらに弾性伸縮テープにより延伸部及び延長部１３３を巻きつけることで、洗浄部材１４と延伸部及び延長部１３３との結合を更に安定にすることができる。
【００２８】
図２Ａに示すように、本考案の第二実施例はモップ構造である。本実施例は主にモップ本体１０と、回転盤１１及び連結部材１２を備えている。
モップ本体１０は使用者が手で握時して清掃操作を行なうのに便利なもので、本実施例においては、モップ本体１０と、回転盤１１及び連結部材１２との連結関係は第一実施例と同じである。但し、本実施例では、回転盤１１が更に洗浄台座１１２を組合わせることができ、洗浄台座１１２は回転盤１１に対して着脱自在であり、且つ洗浄台座１１２は結合盤１１２０及び結合盤１１２０両端から外向きに延伸した延伸部１３を備える。
各延伸部１３は回転盤１１に対して鉛直下向き、又は上向きに折曲し、且つ各延伸部１３は更に少なくとも一の第一連結部１３０、を、結合盤１１２０は更に少なくとも一の第二連結部１１１（図２Ｂを参照）を有し、延伸部１３上の第一連結部１３０と結合盤１１２０の第二連結部１１１が対応して設置され、前記第一連結部１３０と第二連結部１１１は枢軸１３１により各延伸部１３を回転盤１１上に枢設している。
また、第二連結部１１１に近隣して更に位置決め弾片１１３を設置し、前記位置決め弾片１１３の数は単数（一つ）又は複数でもよく、その目的は、各延伸部１３が回転盤１１に対して鉛直下向き、上向き又は水平方向に折曲する際に適時垂直又は水平状態に位置決めさせて、使用者の操作がより便利になるようにするものである（図２Ｃと図２Ｄを参照）。
このほか、図２Ａ及び図２Ｅに示すように、各延伸部１３上には延長部１１３を連結してもよく、各延伸部１３は第三連結部１３４、各延長部１３３は更に第四連結部１３３０を備え、各第三連結部１３４と各第四連結部１３３０が対応して設置されて、各第三連結部１３４と各第四連結部１３３０が各延伸部１３をそれぞれ各延長部１３３と連結させる。回転盤１１上には回転孔１１０を有し、且つ前記回転孔１１０には連結部材１２が貫通し、連結部材１２はモップ本体１０及び回転盤１１を連結する作用がある。
本実施例は、更に洗浄部材１４を備え、洗浄部材１４が結合盤１１２０の底部、各延伸部１３の底部及び各延長部１３３の底部に設置される。洗浄部材１４は第一結合部１４０を有し、各延伸部１３は第二結合部１３２を有し、各延長部１３３は第三結合部１３３１を有し、第一結合部１４０と第二結合部１３２及び第三結合部１３３１とが互いに結合することにより、洗浄部材１４を延伸部１３及び延長部１３３に組合わせる。
このうち、第一結合部１４０と第二結合部１３２及び第三結合部１３３１は結合ボタン、結合孔などの設計や、若しくはマジックテープによる粘着方法で第一結合部１４０と第二結合部１３２及び第三結合部１３３１とを互いに結合してもよいが、本考案においては限定されない。更に、洗浄部１４は弾性伸縮テープから延伸する構造でもよく、洗浄部１４と、延伸部１３及び延長部１３３とを結合したあと、さらに弾性伸縮テープで延伸部１３及び延長部１３３に巻きつけて、洗浄部１４と、延伸部１３及び延長部１３３との結合を更に安定にすることができる。
【００２９】
図３を参照すると、前記第一実施例及び第二実施例において、モップ本体１０は更に、内竿体１０１、外竿体１００及びロック構造を備える。
ロック構造はおもに中空スリーブ１０２及びレバー１０３を備える。内竿体１０１の一端と外竿体１００が互いに挿接し、中空スリーブ１０２は内竿体１０１と外竿体１００の挿着箇所に設置されると同時に、中空スリーブ１０２の一部が外竿体１００と接続し、他方の一部が内竿体１０１周囲を覆蓋する。中空スリーブ１０２は開口１０２０、弾片１０２１及びヒンジ台座１０２２を設けており、このうち弾片１０２１は開口１０２０の一側から開口１０２０内側に延伸進入し、ヒンジ台座１０２２は開口１０２０の両側に設置されている。
レバー１０３とヒンジ台座１０２２が枢接し、レバー１０３は突部１０３０を有し、突部１０３０とヒンジ台座１０２２の関係は偏心カム設計の一種である。レバー１０３を旋動すると、これに伴いレバー１０３上の突出部１０３０が中空スリーブ１０２における弾片１０２１を回転押圧し、弾片１０２１が内竿体１０１を押圧して、内竿体１０１と外竿体１００の相対的線移動を制限して、内竿体１０１の移動が、レバー１０３における突出部１０３０の押圧によりロック効果を生じる。
【００３０】
同時に、図４をみると、前記第一実施例と第二実施例において、さらに一の脱水槽２０と結合して清掃用具セット２を形成する。
連結部材１２の底部は更に第一位置決め部２１０（図５に示す）を備えている。図６及び図７に示すように、モップ本体１０は自転構造でもよく、前記の外竿体１００及び内竿体１０１の他、その構造には更にスクリュ体３０及びクラッチ機構４を備える。クラッチ機構４は、スリーブ２１１０、ワンウエイクラウンギヤ２１１１、心軸台座２１１２、ワンウエイ冠歯車２１１３、ばね２１１４を有し、スリーブ２１１０の一端には開口を、もう一端には底部を有し、且つスリーブ２１１０を外竿体１００の中に設けて、ワンウエイクラウンギヤ２１１１をスリーブ２１１０底部の内側に設置し、スリーブ２１１０開口をヒンジ台座２１１２と接続してスリーブ２１１０がヒンジ台座２１１２上で回転できるようにする。
ワンウエイクラウン歯車２１１３はスリーブ２１１０内側に挿着されて、ワンウエイクラウン歯車２１１３とワンウエイクラウンギヤ２１１１とを互いに係合させ、更にワンウエイクラウン歯車２１１３とヒンジ台座２１１２との間にばね２１１４を設置する。更に、ばね２１１４がワンウエイクラウン歯車２１１３とヒンジ台座２１１２に接続する一端に、それぞれ緩衝リング２１１５を設け、スクリュ体３０の一端をヒンジ台座２１１２、緩衝リング２１１５及びばね２１１４に貫通させて、ワンウエイクラウン歯車２１１３と固定させる。
【００３１】
図８を見ると、清掃用具セット２の脱水槽２０は槽本体２００及び脱水かご２０１とを有し、脱水かご２０１の中央に第二位置決め部２０１０を設置してもよい。
このほか、槽本体２００の底部に洗浄部２０２を設置し、洗浄部２０２に第二位置決め部２０１０を設置してもよい。モップの第一位置決め部２０１０と脱水槽２０の第二位置決め部２０１０が互いに組み合わさることで、モップと脱水槽２０の脱水かご２０１又は洗浄部２０２が安定して位置決めする効果を有する。応用上、第二位置決め部２０１０は着脱自在な設計でもよく、情況に応じて第二位置決め部２０１０を装着したり外したりして、脱水槽２０を更に広範囲で応用できる。
【００３２】
図９及び図１０に示すように、使用者がモップを洗浄及び脱水動作をしたいときは、先ず延伸部１３を上向きに折り返し、又は延伸部１３を下向きに折り返して延長部１３３を上向きに折り返し、回転盤１１の位置決め弾片１１３により位置決めし、延伸部１３及び延長部１３３と回転盤１１又は結合盤１１２０とが垂直に並んだ状態にすると同時に、槽本体２００に水または洗浄液を注入してから、モップの第一決め部２１０と槽本体２００の洗浄部２０２の第二位置決め部２０１０を係止結合した後に、同時にモップが自転構造を有することから回転を生じて、第一位置決め部２１０と第二位置決め部２０１０が結合した後、使用者はモップの自転を操作することでモップが洗浄部２０２上で回転洗浄の動作を行う。
次いで、モップでの洗浄を終えたのちにモップ上の第一位置決め部２１０と脱水槽２０内の脱水かご２０１上の第二位置決め部２０１０を緊密に接合する。このとき延伸部１３と洗浄部材１４又は延長部１３３と洗浄部材１４がちょうど脱水かご２０１の周囲壁面に張り合わされ、同様にモップの自転構造を利用してモップを脱水かご２０１において回転脱水の動作を行い、脱水完了後モップ延伸部１３又は延長部１３３を水平方向に折り返して回転盤１１上の位置決め弾片１１３により位置決めし、延伸部１３又は延長部１３３と回転盤１１若しくは結合盤１１２０とをフラット状態にして使用者が清掃できるようにする。
【００３３】
更に、脱水かごを回転させて脱水を行なう作動方法は、下圧式脱水とペダル式脱水の二種がある。図６及び図８をみると、下圧式脱水はモップを脱水かご２０１に適宜置いたあと、使用者がモップ本体１０を下向きに押圧して、モップの自転構造を利用して、モップから帯動して脱水槽２０の脱水かご２０１に回転を生じさせ、さらに遠心力により脱水の効果を達成する。
図６及び図１１をみると、ペダル式脱水の脱水かご２０１の構造は、下圧式脱水の脱水かご２０１構造とは異なり、ペダル式の脱水槽２０は、ペダル２０３、ジャッキ板２０４、ウオームギヤ２０５、ワンウエイベアリング２０６を含む。使用者がモップを自転脱水させたいときは、モップを脱水槽２０の脱水かご２０１において、次に使用者がペダル２０３を踏み、ペダル２０３がふまれるとペダル２０３を押圧板２０４を下に押圧して、押圧板２０４がさらにウオームギヤ２０５を帯動し、ウオームギヤ２０５がスクリュ体３０に沿って回転し、そしてスクリュ体３０がワンウエイベアリング２０６を帯動して脱水かご２０１を回転させる。
その後、使用者の脚がペダル２０３を離れるときに、ペダル式脱水槽２０構造におけるばね２１１４がウオームギヤ２０５を上向きに支持し、ウオームギヤ２０５が押圧板２０４及びペダル２０３をもとの位置に押し戻しても、脱水かご２０１がワンウエイベアリング２０６により慣性回転を維持する。洗浄部材１４が回転すると、洗浄部材１４に付着した水分がそれによって脱水かご２０１の中から水きりされ、洗浄部材１４は床の擦拭に適した状態になる。
【００３４】
従って、本考案のモップ構造によれば、簡単な動作原理でフラットモップを折り返して脱水効果を上げることができ、構造・部材が簡単で、材料コスト及び加工費の削減だけでなく、同時に製造組立ての上でも便利である。
以上の、本考案の構造の組成と使用実施例の説明から判るように、その主な技術特徴であるモップ構造は、人体工学に則した操作インターフェイスにより、使用者が自然に且つ迅速、便利に利用でき、実用的な効果を上げる。また本考案の構造は簡単なもので、更に原料コスト及び加工費を削減でき、製造の必要経費を大幅に下げることができる。
【００３５】
以上、本考案の実施例を図面を参照して詳述してきたが、具体的な構成は、この実施例に限られるものではなく、本考案の要旨を逸脱しない範囲の設計変更等があっても、本考案に含まれる。
【符号の説明】
【００３６】
１０  モップ本体
１００  外竿体
１０１  内竿体
１０２  中空スリーブ
１０２０  開口
１０２１  弾片
１０２２  ヒンジ台座
１０３  押板部材
１０３０  突部
１１  回転盤
１１０  回転孔
１１１  第二連結部
１１２  洗浄台座  
１１３  位置決め弾片
１１２０  結合盤
１２  連接元件
１３  延伸部
１３０  第一連結部
１３１  枢軸
１３２  第二結合部
１３３  延長部
１３３０  第四連結部
１３３１  第三結合部
１３４  第三連結部
１４  洗浄部件
１４０  第一結合部
２  清掃用具セット
２０  脱水槽
２００  槽本体
２０１  脱水かご
２０１０  第二位置決め部
２０２  洗浄部
２０３  ペダル
２０４  ジャッキ板
２０５  ウオームギヤ
２０６  ワンウエイベアリング
２１０  第一位置決め部
２１１０  スリーブ
２１１１  ワンウエイクラウンギヤ
２１１２  心軸台座
２１１３  ワンウエイクラウン歯車
２１１４  ばね
２１１５  緩衝リング
３０  スクリュ体
４  クラッチ裝置
【図１Ａ】
0003182555.tif 000003
【図１Ｂ】
0003182555.tif 000004
【図１Ｃ】
0003182555.tif 000005
【図２Ａ】
0003182555.tif 000006
【図２Ｂ】
0003182555.tif 000007
【図２Ｃ】
0003182555.tif 000008
【図２Ｄ】
0003182555.tif 000009
【図２Ｅ】
0003182555.tif 000010
【図３】
0003182555.tif 000011
【図４】
0003182555.tif 000012
【図５】
0003182555.tif 000013
【図６】
0003182555.tif 000014
【図７】
0003182555.tif 000015
【図８】
0003182555.tif 000016
【図９】
0003182555.tif 000017
【図１０】
0003182555.tif 000018
【図１１】
0003182555.tif 000019